(57)【要約】【課題】  放熱性が改善された照明器具を提供する。【解決手段】  発光ダイオード１０が実装された基板１１と、扁平な形状であって下面に基板１１が固定された基板収容部２１と基板収容部２１に突設された放熱部２２とを有する灯具２とを備える。基板収容部２１には、上記の発光ダイオード１０に電気的に接続された電線が挿通される電線挿通穴２０が設けられている。また、上方から見て電線挿通穴２０を覆う電線カバー６が、基板収容部２１の上面側に結合している。電線カバー６は、基板収容部２１の上下方向から見て基板１１に重ならない。電線カバー６が基板１１に重なる場合に比べ、放熱性が改善される。【選択図】図１
2014006989.tif 000002
【特許請求の範囲】
【請求項１】
発光ダイオードが実装された基板と、
上下方向に扁平な形状であって下側に前記基板が収容される基板収容部と前記基板収容部の上面に突設された放熱部とを有する灯具とを備え、
前記基板収容部には、前記発光ダイオードに電気的に接続された電線が挿通される電線挿通穴が上下方向に貫通して設けられ、
前記灯具に結合して前記電線挿通穴を上方から覆う電線カバーを備え、
前記電線カバーは、前記基板収容部の上下方向から見て前記基板に重ならないことを特徴とする照明器具。
【発明の詳細な説明】
【技術分野】
【０００１】
本発明は、照明器具に関するものである。
【背景技術】
【０００２】
従来から、発光ダイオードが実装された基板と、上下方向に扁平な形状であって下側に基板が固定された基板収容部と基板収容部の上側に突設された放熱フィンとを有するヒートシンク（灯具）とを備える照明器具が提供されている（例えば、特許文献１参照）。
【先行技術文献】
【特許文献】
【０００３】
【特許文献１】特開２０１１−２１６３１３号公報
【発明の概要】
【発明が解決しようとする課題】
【０００４】
上記のような照明器具においては、発光ダイオードに接続された電線は基板収容部に設けられた電線挿通穴を通じて基板収容部の上側に引き出される。
【０００５】
また、灯具には、電線挿通穴に異物が入り込むことを防ぐために、電線挿通穴を上方から覆う電線カバーが取り付けられる。
【０００６】
しかしながら、熱源である発光ダイオードを実装した基板と電線カバーとの距離が近いと、電線カバーで放熱が阻害されることによる放熱性の低下が比較的に大きくなる。
【０００７】
本発明は、上記事由に鑑みて為されたものであり、その目的は、放熱性が改善された照明器具を提供することにある。
【課題を解決するための手段】
【０００８】
本発明の照明器具は、発光ダイオードが実装された基板と、上下方向に扁平な形状であって下側に前記基板が収容される基板収容部と前記基板収容部の上面に突設された放熱部とを有する灯具とを備え、前記基板収容部には、前記発光ダイオードに電気的に接続された電線が挿通される電線挿通穴が上下方向に貫通して設けられ、前記灯具に結合して前記電線挿通穴を上方から覆う電線カバーを備え、前記電線カバーは、前記基板収容部の上下方向から見て前記基板に重ならないことを特徴とする。
【発明の効果】
【０００９】
本発明によれば、従来例のように電線カバーが基板収容部の上下方向から見て基板に重なる場合に比べ、電線カバーによる放熱性の低下が抑えられるから、放熱性が改善される。
【図面の簡単な説明】
【００１０】
【図１】（ａ）（ｂ）はそれぞれ本願の実施形態における灯具に基板が取り付けられた状態を示し、（ａ）は平面図、（ｂ）は（ａ）のＡ−Ａ断面での断面図である。
【図２】同上を示す断面図である。
【図３】同上が電源装置に接続された状態を示す斜視図である。
【図４】（ａ）（ｂ）はそれぞれ同上を示し、（ａ）は平面図、（ｂ）は正面図である。
【図５】同上の要部を示す、下側から見た分解斜視図である。
【図６】同上の要部を示す、上側から見た分解斜視図である。
【図７】同上の要部を示す平面図である。
【発明を実施するための形態】
【００１１】
以下、本発明を実施するための最良の形態について、図１〜図７を参照しながら説明する。以下では上下左右は図１（ｂ）を基準とし、図１（ａ）での下上方向（図１（ｂ）の紙面に直交する方向）を前後方向と呼ぶ。
【００１２】
本実施形態は、発光ダイオード１０が実装された基板１１と、この基板１１が固定された灯具２とを備える。
【００１３】
灯具２は、厚さ方向を上下方向に向けた扁平な形状の基板収容部２１と、基板収容部２１の上面に突設された放熱部２２（多数の放熱フィン２２０）とを備える。灯具２の材料としては、熱伝導率が高い材料が望ましく、例えばアルミニウムを用いることができる。
【００１４】
基板１１は、発光ダイオード１０が実装された面を下方に向けて基板収容部２１の下面の中央部に固定されている。より具体的には、基板１１は、それぞれ灯具２の基板収容部２１にねじ止め固定される３個の板ばね１２により、基板収容部２１の下面に押し付けられている。発光ダイオード１０は、発光ダイオード１０を点灯させる適宜の直流電力を生成する電源装置５に対し、電線５１を介して電気的に接続される。基板収容部２１には電線５１が挿通される電線挿通穴２０が上下に貫設されており、上記の電線５１は電線挿通穴２０を通じて灯具２の上方に引き出されて電源装置５に接続されている。
【００１５】
さらに、基板収容部２１の下面には、基板１１を囲む円筒形状の囲み部２３が下方へ突設されており、囲み部２３の外周面にも放熱フィン２３１が突設されている。
【００１６】
さらに、図２に示すように、囲み部２３内には、発光ダイオード１０の光を下方に反射させる反射板３１が収納される。反射板３１は、下方から見て発光ダイオード１０を囲む筒形状であって、上下方向に直交する断面での断面形状を下方に向かって徐々に大きくするように傾斜している。反射板３１の上側の開口は基板１１によって閉塞され、反射板３１の下側の開口は透光性を有する材料（例えばガラス）からなる透光カバー３２によって閉塞される。反射板３１と透光カバー３２とは、それぞれ例えばねじ止めによって灯具２に固定される。
【００１７】
また、灯具２は、器具本体４に対して固定される。器具本体４は、全体として上下に開口した筒形状の本体部４１を有する。この本体部４１は、灯具２の上端部を上方に突出させるとともに透光カバー３２を下方に露出させる形で保持する。
【００１８】
ここで、各放熱部２２は、上下方向から見て基板収容部２１を内包する所定の円形状から突出しない寸法形状とされている。灯具２の水平方向（図１（ａ）における左右方向）の両端部には、それぞれ、厚さ方向を上下方向に向けて上記の円形状から突出する取付片２４が設けられている。器具本体４の本体部４１の上面には上記の円形状よりも僅かに大きい円形状の挿通穴４０が設けられており、灯具２は、挿通穴４０の周縁部に対して取付片２４をねじ止めされることで器具本体４に対して固定されている。すなわち、灯具２において取付片２４よりも上方に突出した放熱部２２が、器具本体４の上方に突出する。
【００１９】
また、器具本体４において、本体部４１の外周面の下端には、鍔部４２が全周にわたって外向きに突設されている。さらに、器具本体４において、本体部４１の外周面には、それぞれ本体部４１からの突出寸法を小さくするように本体部４１に対して弾性的に変位可能な複数個（図では３個）の挟み部４３が、周方向に等間隔に（例えば約１２０°おきに）設けられている。器具本体４は、天井に設けられた埋込穴（図示せず）埋込配設されるものであり、埋込穴の周縁部において天井材の上面に挟み部４３が当接することで下方への脱落を防止される。また、下方から見て、本体部４１の外周面と埋込穴の内周面との間の隙間は、鍔部４２によって覆われる。
【００２０】
以下、本発明の特徴に関わる、灯具２において基板収容部２１の上側に設けられて電線の一部が収納される電線収納室２５について説明する。電線収納室２５は、基板収容部２１から上方への突出寸法が比較的に小さい放熱フィン２２０によって囲まれることで形成されており、左右に長い長方形状となっている。電線挿通穴２０は、電線収納室２５の中央寄りの端部に開口している。また、電線収納室２５の前側の放熱フィン２２０も、基板収容部２１から上方への突出寸法を比較的に小さくされている。上記のように基板収容部２１から上方への放熱フィン２２０の突出寸法が電線収納室２５の周囲及び前側（つまり基板１１とは逆側）において他の部位よりも小さくされていることで、電線５１を引き回す際に放熱フィン２２０が邪魔になりにくく、作業性が確保されている。
【００２１】
また、灯具２には、上方から見て電線収納室２５を覆う長方形の平板である電線カバー６が、例えばねじ止めによって取り付けられる。基板収容部２１から上方への突出寸法を比較的に小さくされた放熱フィン２２０には、上記の突出寸法をさらに小さくする段２５２が電線収納室２５を囲む形で設けられており、電線カバー６は上記の段２５２に載置される。また、放熱部２２において電線収納室２５の左側の壁を構成する部位には、電線５１が挿通される隙間を電線カバー６の下面との間に構成する電線挿通切り欠き２５０が設けられている。さらに、電線収納室２５内において、電線挿通穴２０よりも右側（すなわち電線挿通穴２０に関して電線挿通切り欠き２５０の反対側）には、図７に示すように電線５１が引っ掛けられる引掛凸部２５１が設けられている。ここで、電線挿通切り欠き２５０の外側（左側）において、放熱フィン２２０は厚さ方向を左右方向に向けており、電線挿通切り欠き２５０から引き出された電線５１は上記の放熱フィン２２０に沿って前方（図７での下方）へ引き出される。すなわち電線５１は少なくとも電線挿通切り欠き２５０の外側で曲げられることになるから、例えば電線挿通切り欠き２５０が前方（図７での下方）に開口する場合に比べ、電線５１と電線挿通切り欠き２５０の内面との間に摩擦力が発生し、この摩擦力によって電線５１が張力止めされる。また、電線カバー６で閉塞されることにより、電線収納室２５内への異物（塵埃や虫など）の進入が防止でき、且つ電線収納室２５の外へ電線５１が飛び出すことも防止できる。
【００２２】
ここで、特許文献１記載の従来例においては、電線カバー６に相当する天板が、基板収容部の上下方向から見て基板に重なる範囲に設けられていたために放熱を阻害していた。
【００２３】
これに対して本実施形態における電線収納室２５は、図１（ａ）に示すように、基板１１よりも前側（図１（ａ）での下側）に設けられており、基板収容部２１の上下方向（図１（ａ）においては紙面に垂直な方向）から見て基板１１に重ならない寸法及び位置に設定されている。そして、電線収納室２５を上方から覆う電線カバー６も、上下方向から見て基板１１に重ならない寸法及び位置に設定されている。
【００２４】
上記構成によれば、特許文献１記載の従来例のように電線カバー６が基板収容部２１の上下方向から見て基板１１に重なる範囲に設けられる場合に比べ、電線カバー６による放熱性の低下が抑えられることにより、放熱性が改善される。
【符号の説明】
【００２５】
２  灯具
６  電線カバー
１０  発光ダイオード
１１  基板
２０  電線挿通穴
２１  基板収容部
２２  放熱部
５１  電線
【図１】
2014006989.tif 000003
【図２】
2014006989.tif 000004
【図３】
2014006989.tif 000005
【図４】
2014006989.tif 000006
【図５】
2014006989.tif 000007
【図６】
2014006989.tif 000008
【図７】
2014006989.tif 000009